(57)【特許請求の範囲】
【請求項１】
混注口５２に外部と遮断するためのゴム状弾性体５６が取り付けられた液体混注具の前記ゴム状弾性体５６に穿刺される針部６を内腔内に有し、前記混注口５２に接続されるコネクター１であって、
前記混注口５２の外側に着脱可能かつ摺動および回動可能に嵌合される有蓋円筒状のフード部２と、
前記フード部２の蓋部外側のほぼ中心部に設けられたほぼ円筒状の連結部４と、
先端部が前記連結部４の内腔４ａ内に嵌入され、基端部に延長チューブ７が接続されて、内腔８ｂ内に摺動手段が摺動可能に嵌装された接続部８とを備え、
前記接続部８を、底部のほぼ中心部に前記針部６が挿通される挿通孔８ａを有する有底円筒状に形成し、前記底部内側に前記針部６が軸方向に摺動および回動可能に挿通されかつ前記延長チューブ７からの薬液の前記挿通孔８ａ側への流出を阻止するシール弁体９を設けるとともに、前記摺動手段を、先端部側のほぼ中心部に前記針部６の基部が嵌入され、一方の対向する外側面が前記接続部８の内腔壁に当接可能で、他方の対向する外側面が前記接続部８の内腔壁との間で間隙Ｇを形成可能な保持部材１０により構成し、さらに、前記針部６の該保持部材１０近傍の側壁に側孔６ａを設け、
前記針部６を前記ゴム状弾性体５６に穿刺したときに生じる抵抗力により前記保持部材１０を基部側に摺動させて前記側孔６ａを前記シール弁体９より基部側に位置させ前記間隙Ｇを介して前記延長チューブ７に連通し、該延長チューブ７から前記液体混注具への薬液の流路を前記側孔６ａおよび針部６の内腔を介して開放するとともに、前記針部６を前記ゴム状弾性体５６から抜去したときに生じる抵抗力により前記保持部材１０を先端部側に摺動させて前記側孔６ａを前記シール弁体９内または先端部側に位置させ前記延長チューブ７との連通を阻止し、該延長チューブ７から前記液体混注具への薬液の流路を遮断するようにしたことを特徴とするコネクター。
【請求項２】
前記保持部材１０は、前記接続部８の内腔壁に当接可能な対向する外側面が円弧状を呈するほぼ平坦状に形成されているとともに、前記針部６は、その前記保持部材１０近傍の側壁に設けた前記側孔６ａが複数形成されていることを特徴とする請求項１記載のコネクター。
【発明の詳細な説明】
【０００１】
【発明の属する技術分野】
本発明は、輸液ライン等に薬液を一時的または長期的に注入したり、動・静脈ラインから採血等を行う場合などに用いられる液体混注具およびカテーテル等の輸液手段に接続され、内腔内に設けた針部により薬液等を混注部に流入するコネクターに関するものである。
【０００２】
【従来の技術】
中心静脈栄養療法をはじめとする各種の栄養投与中において、他の薬液等を注入する場合、輸液ルートの途中に予め備えておいた別ルートの輸液ラインが接続された混注部を介して行う方法が通常用いられている。この混注部に用いられる手段としては、輸液ラインからの細菌の侵入を防止して感染の機会を減らすことが可能な外部とを遮断するセプタム、つまりゴム状弾性体を有する混注部、例えばＹ型の液体混注具と、それに接続されるコネクターとが使用されている。
【０００３】
図８は従来の代表的なＹ型の液体混注具およびそれに接続して用いられるコネクターの一部を断面で示した外観図と、その作用説明図である。図において、５１はＹ型の液体混注具の本体を構成するハウジングで、混注口５２と流出口５３を両端部に有する管状体であり、かつ一般的に中間部に分岐管５４が形成されその端部に注入口５５を有している。５６は混注口５２を封止するゴム状弾性体で、混注口５２に嵌着されたキャップ５７によって混注口５２に保持されている。５８はハウジング５１の外壁に設けられた二条の外ねじ、５９はハウジング５１の外壁の外ねじ５８より分岐管５４側に設けられ後述するコネクターのフード部の先端部を塞ぐ段部である。
【０００４】
６０はハウジング５１の基端部である混注口５２側に接続されるコネクターで、内径がキャップ５７の外径とほぼ等しい有蓋円筒状に形成され、その円筒状の胴部内にハウジング５１の混注口５２側が摺動かつ回動可能に嵌合され、ハウジング５１の外ねじ５８に螺合する二条の内ねじ６２が内壁に設けられたフード部６１と、フード部６１の蓋部外側のほぼ中心部に設けられたほぼ円筒状の連結部６３と、ほぼ中心部に内腔６４ａを有し、一方の端部に基部側が内腔６４ａ内に嵌入されてゴム状弾性体５６に穿刺される針部６５を備え、他方の端部に混注時等に使用される延長チューブ６６が接続されて、針部６５がフード部６１内に位置するように連結部６３に連結された接続部６４とからなっている。
【０００５】
そして、注入口５５に延長チューブ６７が結合された分岐管５４側をメインルートとし、主薬液はこのメインルートを通ってハウジング５１の流出口５３に結合された延長チューブ６８から患者側（血管など）へ投与される。また、図８（ｂ）に示すように、ハウジング５１の混注口５２側にコネクター６０のフード部６１を嵌装し、外ねじ５８および内ねじ６２によりコネクター６０をハウジング５１に接続させつつゴム状弾性体５６に針部６５を穿刺させた混注口５２側を混注ルートとし、他の薬液は延長チューブ６６からこの混注ルートを通ってハウジング５１内の主薬液と混合しつつ流出口５３に結合された延長チューブ６８から患者側（血管など）へ持続的に投与される。
【０００６】
他の薬液の投与を終了する場合は、ハウジング５１に設けられた外ねじ５８とコネクター６０の内ねじ６２との螺合を緩めて、針部６５がゴム状弾性体５６から抜ける方向にコネクター６０を引っ張り離脱させる。
【０００７】
【発明が解決しようとする課題】
上記のような従来のコネクター６０は、他の薬液の投与などを終了するためにＹ型の液体混注具から離脱する際、コネクター６０の延長チューブ６６からの薬液が針部６５を通ってコネクター６０の外部にこぼれ落ちたり、床等に垂れ落ちたりしないように、離脱の前に延長チューブ６６をクランプして閉塞し液漏れを防いでいたが、この作業は煩わしいものであった。また、閉塞作業を簡単にするためにコネクター６０に延長チューブ６６からの薬液の投与を開始または停止するＯＮ／ＯＦＦスイッチを設けたものもあるが、クランプあるいはスイッチのＯＦＦなどは医療従事者が意図的に行うものであり、例えば輸液中にコネクター６０の接続が緩んでハウジング５１から外れてしまうなどの事故が発生した場合は、延長チューブ６６をクランプして閉塞する等の操作を行うことができないため、針部６５からの輸液がベッドや床などに漏れて水浸しなってしまうなどの問題があった。
【０００８】
本発明は、上記のような課題を解決するためになされたもので、意図的に接続を解除した場合はもちろんのこと、事故的に接続が外れた場合でも容易に針部からの薬液の漏れを防止することのできるコネクターを提供することを目的としたものである。
【０００９】
【課題を解決するための手段】
本発明に係るコネクターは、混注口５２に外部と遮断するためのゴム状弾性体５６が取り付けられた液体混注具のゴム状弾性体５６に穿刺される針部６を内腔内に有し、混注口５２に接続されるコネクター１であって、混注口５２の外側に着脱可能かつ摺動および回動可能に嵌合される有蓋円筒状のフード部２と、フード部２の蓋部外側のほぼ中心部に設けられたほぼ円筒状の連結部４と、先端部が連結部４の内腔４ａ内に嵌入され、基端部に延長チューブ７が接続されて、内腔８ｂ内に摺動手段が摺動可能に嵌装された接続部８とを備え、接続部８を、底部のほぼ中心部に針部６が挿通される挿通孔８ａを有する有底円筒状に形成し、底部内側に針部６が軸方向に摺動および回動可能に挿通されかつ延長チューブ７からの薬液の挿通孔８ａ側への流出を阻止するシール弁体９を設けるとともに、摺動手段を、先端部側のほぼ中心部に針部６の基部が嵌入され、一方の対向する外側面が接続部８の内腔壁に当接可能で、他方の対向する外側面が接続部８の内腔壁との間で間隙Ｇを形成可能な保持部材１０により構成し、さらに、針部６の保持部材１０近傍の側壁に側孔６ａを設け、針部６をゴム状弾性体５６に穿刺したときに生じる抵抗力により保持部材１０を基部側に摺動させて側孔６ａをシール弁体９より基部側に位置させ間隙Ｇを介して延長チューブ７に連通し、延長チューブ７から前記液体混注具への薬液の流路を側孔６ａおよび針部６の内腔を介して開放するとともに、針部６をゴム状弾性体５６から抜去したときに生じる抵抗力により保持部材１０を先端部側に摺動させて側孔６ａをシール弁体９内または先端部側に位置させ延長チューブ７との連通を阻止し、延長チューブ７から液体混注具への薬液の流路を遮断するようにしたものである。
【００１０】
また、本発明に係るコネクターにおいて、保持部材１０は、接続部８の内腔壁に当接可能な対向する外側面が円弧状を呈するほぼ平坦状に形成されているとともに、針部６は、その保持部材１０近傍の側壁に設けた側孔６ａが複数形成されてなるものである。
【００１９】
【発明の実施の形態】
実施の形態１．
図１は実施の形態１の断面図、Ｙ型の液体混注具の外観図、それらの作用説明図およびＡ−Ａ断面図である。なお、図８で説明した従来例と同一部分には同じ符号を付し、説明を省略する。
【００２０】
図において、１はＹ型の液体混注具の本体を構成するハウジング５１の基端部である混注口５２側に接続されるコネクターで、例えばポリカーボネートまたはやや軟質のポリプロピレンなどの透明なプラスチック材料により構成されている。コネクター１は、内径がハウジング５１の混注口５２に嵌着されたキャップ５７の外径とほぼ等しい有蓋円筒状に形成され、その円筒状の胴部内にハウジング５１の混注口５２側が摺動かつ回動可能に嵌合され、ハウジング５１の外壁に設けられた二条の外ねじ５８に螺合する二条の内ねじ３が内壁に設けられたフード部２と、フード部２の蓋部外側のほぼ中心部に設けられ、内腔４ａのほぼ中央部に段部４ｂを有し、先端部側内腔４ａが基部側内腔４ａより若干大径になるように形成されたほぼ円筒状の連結部４と、連結部４の内腔４ａ内に摺動可能に嵌装され、先端部側にハウジング５１の混注口５２を封止するゴム状弾性体５６に穿刺される針部６が設けられたスライド体５と、先端部が連結部４に結合された延長チューブ７とにより構成されている。
【００２１】
スライド体５は、例えば軟質プラスチックからなり、基部側近傍に軸方向に直交する貫通孔５ａが設けられ、先端部側のほぼ中心部に貫通孔５ａに連通し針部６の基部側が嵌入される内腔５ｂが形成されている。また、基部先端側に連結部４の基端部に係止するフランジ部５ｃが設けられ、先端部先端側に連結部４の段部４ｂに係止する係止部５ｄが形成されており、フランジ部５ｃおよび係止部５ｄはスライド体５の先端部側および基部側への摺動のストッパーとなっている。そして、コネクター１の未使用時において、スライド体５は、図１（ａ）に示すように、フランジ部５ｃが連結部４の基端部に係止し、貫通孔５ａが連結部４の内腔４ａ壁によって閉塞されるように位置されている。
【００２２】
このように構成されたこの実施の形態１において、主薬液の輸液中に他の薬液を持続的に混注する場合、まず、患者の血管に留置した留置針の基部（図示せず）に延長チューブ６８の先端部を連結し、図１（ｂ）の矢印Ｘに示すように、主薬液を延長チューブ６７からメインルートである注入口５５へ送って分岐管５４の内腔からハウジンク５１の内腔へ送り、ハウジング５１の流出口５３および延長チューブ６８から患者側（血管）に投与する。ついで、図１（ｂ）に示すように、ハウジング５１の混注口５２側にコネクター１のフード部２を嵌合させつつ、ゴム状弾性体５６に針部６をゴム状弾性体５６のほぼ中心部に垂直に設けたスリットに沿って穿刺させ、針部６の先端部がゴム状弾性体５６を貫通してハウジング５１の内腔内に位置するように、ハウジング５１の外ねじ５８にコネクター１の内ねじ３を螺合させ接続する。
【００２３】
この時、貫通孔５ａが連結部４の内腔４ａ壁によって閉塞されるように位置されていたスライド体５は、針部６をゴム状弾性体５６に穿刺するときに生じる抵抗力によって後退つまり基部側（図１（ｂ）の矢印Ｙの方向）に摺動し、係止部５ｄが連結部４の段部４ｂに係止することによってその位置に保持され、連結部４の内腔４ａ壁によって閉塞されていた貫通孔５ａは開放し延長チューブ７に連通される。
【００２４】
そして、図１（ｂ）の矢印Ｚに示すように、延長チューブ７からの他の薬液をスライド体５の貫通孔５ａから針部６の内腔を通ってハウジング５１の内腔へ送り、メインルートからの主薬液とハウジング５１の内腔内で混合させつつ流出口５３および延長チューブ６８から患者側（血管）に持続的に混注する。
【００２５】
持続的混注を終了する場合は、ハウジング５１の外ねじ５８とコネクター１の内ねじ３との螺合を緩めて、針部６がゴム状弾性体５６から抜ける方向にコネクター１を引っ張り離脱する。この時、貫通孔５ａが延長チューブ７に連通するように位置されていたスライド体５は、針部６をゴム状弾性体５６から抜去するときに生じる抵抗力によって前進つまり先端部側（図１（ｂ）の矢印Ｙの逆方向）に摺動し、フランジ部５ｃが連結部４の基端部に係止することによってその位置に保持され、延長チューブ７に連通し開放されていた貫通孔５ａは連結部４の内腔４ａ壁によって閉塞し、このスライド体５によって延長チューブ７からの他の薬液の流路が遮断される。
【００２６】
このように、コネクター１に、針部６をゴム状弾性体５６に穿刺するときに生じる抵抗力によって基部側に摺動し、係止部５ｄが連結部４の段部４ｂに係止することによってその位置に保持され、連結部４の内腔４ａ壁によって閉塞されていた貫通孔５ａを開放し延長チューブ７に連通するとともに、針部６をゴム状弾性体５６から抜去するときに生じる抵抗力によって先端部側に摺動し、フランジ部５ｃが連結部４の基端部に係止することによってその位置に保持され、延長チューブ７に連通し開放されていた貫通孔５ａを連結部４の内腔４ａ壁によって閉塞し延長チューブ７からの薬液の流路を遮断するスライド体５を設けたので、意図的にハウジング５１との接続を解除した場合はもちろんのこと、事故的に接続が外れた場合でも、スライド体５が先端部側に摺動して貫通孔５ａを連結部４の内腔４ａ壁によって閉塞させ、延長チューブ７からの他の薬液の流路を自動的に遮断することができる。これにより、意図的に接続を解除する前に延長チューブ７をクランプして閉塞する等の操作を行わずに接続を解除することができるため、コネクター１の離脱操作を簡素化することができるとともに、事故的に接続が外れた場合でも自動的に流路が遮断されて薬液漏れのない使い勝手のよいコネクター１を得ることができる。
【００２７】
実施の形態２．
図２は本発明に係る実施の形態２の断面図、Ｙ型の液体混注具の外観図およびそれらの作用説明図、図３は図２のＢ部分の拡大図およびそのＣ−Ｃ断面図で、この実施の形態２は、実施の形態１のスライド体５に代えて、先端部側が実施の形態１に係るコネクター１の連結部４の内腔４ａ内に嵌入され、基部側に実施の形態１に係る延長チューブ７が結合された接続部８を備えたものである。
【００２８】
接続部８は、図３（ａ）に示すように、有底円筒状に形成され、その底部のほぼ中心部に実施の形態１に係る針部６が挿通される挿通孔８ａが設けられており、接続部８の底部内側には、軸方向に針部６が摺動および回動可能に挿通され延長チューブ７からの薬液の挿通孔８ａ側への流出を阻止するゴムの如き弾性体からなるシール弁体９が設けられている。また、シール弁体９および挿通孔８ａに挿通される針部６は、基部側に例えばポリプロピレンなどからなる保持部材１０が嵌装され、保持部材１０の近傍の側壁にはコネクター１を使用したときに接続部８の内腔８ｂに連通する複数の側孔６ａが設けられている。保持部材１０は、図３（ｂ）に示すように、一方の対向する外側面が接続部８の内腔８ｂ壁に当接する円弧状に形成され、他方の対向する外側面が内腔８ｂ壁との間に間隙Ｇを有するほぼ平坦状に形成されている。また、図３（ａ）に示すように、保持部材１０の先端部側は若干縮径されており、コネクター１の未使用時においては先端部側がシール弁体９に嵌入し、延長チューブ７からの薬液が間隙Ｇを通って針部６の側孔６ａに流れ込むのを阻止している。
【００２９】
このように構成されたこの実施の形態２においても、実施の形態１で説明した場合と同様に、主薬液の輸液中に他の薬液を持続的に混注する場合、図２（ｂ）に示すように、ハウジング５１の混注口５２側にコネクター１のフード部２を嵌合させつつ、ゴム状弾性体５６に針部６をスリットに沿って穿刺させ、針部６の先端部がゴム状弾性体５６を貫通してハウジング５１の内腔内に位置するように、ハウジング５１の外ねじ５８にコネクター１の内ねじ３を螺合させ接続する。この時、針部６はゴム状弾性体５６に穿刺するときに生じる抵抗力によって保持部材１０とともに基部側（図３（ａ）の矢印Ｙの方向）に摺動し、針部６の側孔６ａは接続部８の内腔８ｂ内に位置して内腔８ｂに連通される。
【００３０】
そして、図２（ｂ）および図３（ａ）の矢印Ｚに示すように、延長チューブ７からの他の薬液を接続部８の内腔８ｂおよび間隙Ｇから針部６の側孔６ａを介して針部６の内腔へ送り、さらにハウジング５１の内腔へ送って、メインルートからの主薬液とハウジング５１の内腔内で混合させつつ流出口５３および延長チューブ６８から患者側（血管）に持続的に混注する。
【００３１】
持続的混注を終了する場合は、ハウジング５１の外ねじ５８とコネクター１の内ねじ３との螺合を緩めて、針部６がゴム状弾性体５６から抜ける方向にコネクター１を引っ張り離脱する。この時、針部６はゴム状弾性体５６から抜去するときに生じる抵抗力によって保持部材１０とともに先端部側（図３（ａ）の矢印Ｙの逆方向）に摺動し、保持部材１０の先端部側がシール弁体９に嵌入して針部６の側孔６ａはシール弁体９および挿通孔８ａ側に位置し、内腔８ｂとの連通が阻止されて延長チューブ７からの他の薬液の流路が遮断される。
【００３２】
このように、コネクター１に、針部６をゴム状弾性体５６に穿刺するときに生じる抵抗力によって基部側に摺動し、針部６の側孔６ａを内腔８ｂ内に位置させて内腔８ｂ等に連通させるとともに、針部６をゴム状弾性体５６から抜去するときに生じる摩擦抵抗力によって先端部側に摺動し、針部６の側孔６ａをシール弁体９および挿通孔８ａ側に位置させて内腔８ｂ等との連通を阻止させ、延長チューブ７からの他の薬液の流路を遮断させる接続部８を設けたので、意図的および事故的にハウジング５１との接続を解除した場合において、簡単な操作で延長チューブ７からの他の薬液の流路を自動的に遮断することができるコネクター１を得ることができる。
【００３３】
実施の形態３．
図４は実施の形態３の断面図、Ｙ型の液体混注具の外観図、Ｄ−Ｄ断面図およびそれらの作用説明図で、この実施の形態３は、実施の形態１のスライド体５に代えて、先端部側が実施の形態１に係るコネクター１の連結部４の内腔４ａ内に嵌入され、基部側に実施の形態１に係る延長チューブ７（図示せず）が結合されるとともに、その内腔１４ａの先端部側に実施の形態１に係る針部６を有するスライド部材１１と、ばね保持部材１２と、両者１１，１２の間に介装されるばね部材１３とを有する接続部１４を備えたものである。
【００３４】
スライド部材１１は、断面ほぼＴ字状に形成され、その頭部に軸方向に直交する貫通孔１１ａが設けられ、軸部のほぼ中心部に貫通孔１１ａに連通し針部６の基部側が嵌入される内腔１１ｂが形成されており、頭部の貫通孔１１ａの内側には一対のＯリング１５，１５が嵌装されていて、Ｏリング１５，１５によりコネクター１の未使用時における貫通孔１１ａの接続部１４の内腔１４ａとの連通を阻止している。また、頭部の下面１１ｃは接続部１４の内腔１４ａ内に形成された第１の段部１４ｂに当接して係止され、スライド部材１１の先端部側への摺動のストッパーとなっている。
【００３５】
ばね保持部材１２は、底部に凹部１２ａを有する断面ほぼ凸字状に形成され、そのつば部１２ｂの下面は接続部１４の内腔１４ａ内に形成された第２の段部１４ｃに当接して係止され、ばね保持部材１２をその位置に保持している。また、ばね保持部材１２のつば部１２ｂには、図４（ｂ）に示すように、延長チューブ７からの他の薬液が通過する複数の通過孔１２ｃが設けられている。
【００３６】
ばね部材１３は、一方の端部がスライド部材１１の頭部の上面に結合され、他方の端部がばね保持部材１２の凹部１２ａの底部に結合されており、スライド部材１１を先端部側に付勢している。
【００３７】
このように構成されたこの実施の形態３においても、実施の形態１で説明した場合と同様に、主薬液の輸液中に他の薬液を持続的に混注する場合、図４（ｃ）に示すように、ハウジング５１の混注口５２側にコネクター１のフード部２を嵌合させつつ、ゴム状弾性体５６に針部６をスリットに沿って穿刺させ、針部６の先端部がゴム状弾性体５６を貫通してハウジング５１の内腔内に位置するように、ハウジング５１の外ねじ５８にコネクター１の内ねじ３を螺合させ接続する。この時、ばね部材１３によって先端部側に付勢されていたスライド部材１１は、針部６をゴム状弾性体５６に穿刺するときに生じる抵抗力によってばね部材１３を圧縮しながら基部側（図４（ｃ）の矢印Ｙの方向）に摺動し、貫通孔１１ａは開放して接続部１４の内腔１４ａおよびばね保持部材１２の通過孔１２ｃに連通される。
【００３８】
そして、図４（ｃ）の矢印Ｚに示すように、延長チューブ７からの他の薬液を接続部１４の内腔１４ａおよびばね保持部材１２の通過孔１２ｃから貫通孔１１ａを介して針部６の内腔へ送り、さらにハウジング５１の内腔へ送って、メインルートからの主薬液とハウジング５１の内腔内で混合させつつ流出口５３および延長チューブ６８から患者側（血管）に持続的に混注する。
【００３９】
持続的混注を終了する場合は、ハウジング５１の外ねじ５８とコネクター１の内ねじ３との螺合を緩めて、針部６がゴム状弾性体５６から抜ける方向にコネクター１を引っ張り離脱する。この時、スライド部材１１は針部６をゴム状弾性体５６から抜去するときに生じる抵抗力およびばね部材１３の付勢力によって先端部側（図４（ｃ）の矢印Ｙの逆方向）に摺動し、貫通孔１１ａはＯリング１５，１５によって接続部１４の内腔１４ａとの連通が阻止され、延長チューブ７からの他の薬液の流路が遮断される。
【００４０】
このように、コネクター１に、針部６をゴム状弾性体５６に穿刺するときに生じる抵抗力によって基部側に摺動し、スライド部材１１の貫通孔１１ａを開放してばね保持部材１２の通過孔１２ｃに連通させるとともに、針部６をゴム状弾性体５６から抜去するときに生じる抵抗力およびばね部材１３の付勢力によって先端部側に摺動し、貫通孔１１ａをＯリング１５，１５により接続部１４の内腔１４ａとの連通を阻止して、延長チューブ７からの他の薬液の流路を遮断させる接続部１４を設けたので、意図的および事故的にハウジング５１との接続を解除した場合において、延長チューブ７からの他の薬液の流路を自動的にかつ確実に遮断することができるコネクター１を得ることができる。
【００４１】
実施の形態４．
図５は実施の形態４の断面図、Ｙ型の液体混注具の外観図およびそれらの作用説明図で、この実施の形態４は、実施の形態３に係る接続部１４において、ばね保持部材１２およびばね部材１３を省略し、断面ほぼＴ字状のスライド部材１１に代えて、頭部に鋭角な突出部１６ａを有する断面ほぼ十字状で、そのほぼ中心部に針部６の基部側が嵌入される内腔１６ｂが形成されたスライド部材１６を設けるとともに、接続部１４の内腔１４ａのほぼ中間部に軸方向にスリット１７ａを有しゴムの如き弾性体からなる平面円盤状の弁体１７を嵌装し、コネクター１の未使用時においてこの弁体１７により延長チューブ７からの他の薬液の流路を遮断するように構成されている。
【００４２】
なお、弁体１７は接続部１４の内腔１４ａの基部側に嵌入されるほぼ円筒状の弁押さえ部材１８によってその位置に保持されており、延長チューブ７は弁押さえ部材１８の内腔内に嵌入されて結合される。また、スライド部材１６の頭部の下面１６ｃは接続部１４の内腔１４ａ内に形成された第１の段部１４ｂに当接して係止され、スライド部材１６の先端部側への摺動のストッパーとなっており、頭部の上面１６ｄは弁体１７の下面に当接して係止され、スライド部材１６の基部側への摺動のストッパーとなっている。
【００４３】
このように構成されたこの実施の形態４においても、実施の形態３で説明した場合と同様に、主薬液の輸液中に他の薬液を持続的に混注する場合、図５（ｂ）に示すように、ハウジング５１の混注口５２側にコネクター１のフード部２を嵌合させつつ、ゴム状弾性体５６に針部６をスリットに沿って穿刺させ、針部６の先端部がゴム状弾性体５６を貫通してハウジング５１の内腔内に位置するように、ハウジング５１の外ねじ５８にコネクター１の内ねじ３を螺合させ接続する。この時、接続部１４の先端部側に位置していたスライド部材１６は、針部６をゴム状弾性体５６に穿刺するときに生じる抵抗力によって基部側（図５（ｂ）の矢印Ｙの方向）に摺動して突出部１６ａが弁体１７のスリット１７ａに沿って貫通し、頭部の上面１６ｄが弁体１７の下面に係止することによってその位置に保持されて、針部６の内腔は延長チューブ７に連通される。
【００４４】
そして、図５（ｂ）の矢印Ｚに示すように、延長チューブ７からの他の薬液を針部６の内腔からハウジング５１の内腔へ送り、メインルートからの主薬液とハウジング５１の内腔内で混合させつつ流出口５３および延長チューブ６８から患者側（血管）に持続的に混注する。
【００４５】
持続的混注を終了する場合は、ハウジング５１の外ねじ５８とコネクター１の内ねじ３との螺合を緩めて、針部６がゴム状弾性体５６から抜ける方向にコネクター１を引っ張り離脱する。この時、接続部１４の基部側に位置していたスライド部材１６は、針部６をゴム状弾性体５６から抜去するときに生じる抵抗力によって先端部側（図５（ｂ）の矢印Ｙの逆方向）に摺動して突出部１６ａが弁体１７から抜去し、頭部の下面１６ｃが接続部１４の第１の段部１４ｂに係止することによってその位置に保持されて、針部６の内腔は弁体１７により延長チューブ７との連通が阻止され、延長チューブ７からの他の薬液の流路が遮断される。
【００４６】
このように、コネクター１に、針部６をゴム状弾性体５６に穿刺するときに生じる抵抗力によって基部側に摺動し、突出部１６ａが弁体１７を貫通して針部６の内腔を延長チューブ７と連通させるとともに、針部６をゴム状弾性体５６から抜去するときに生じる抵抗力によって先端部側に摺動し、突出部１６ａが弁体１７から抜去して針部６の内腔の延長チューブ７との連通を弁体１７により阻止させ、延長チューブ７からの他の薬液の流路を遮断させる接続部１４を設けたので、意図的および事故的にハウジング５１との接続を解除した場合において、延長チューブ７からの他の薬液の流路を自動的にかつ確実に遮断することができるコネクター１を得ることができる。
【００４７】
実施の形態５．
図６は実施の形態５の外観図、注入用コネクターの外観図および本発明の実施の形態５のＥ−Ｅ断面図、図７は本発明の実施の形態５と注入用コネクターとの作用説明図およびそのＦ−Ｆ断面図である。図において、２１は例えばカテーテル（図示せず）の基端部に連結される注入用コネクター３１などに接続されるコネクターで、例えばポリカーボネートまたはやや軟質のポリプロピレンなどの透明なプラスチック材料により構成されている。
【００４８】
コネクター２１は、内径が注入用コネクター３１のハウジング３２の基部の外径とほぼ等しい有蓋円筒状に形成され、その円筒状の胴部内にハウジング３２の基部が摺動かつ回動可能に嵌合されるフード部２２と、フード部２２の蓋部外側のほぼ中心部に設けられ、内腔２３ａの先端部近傍に段部２３ｂを有するメスルアー状に形成された連結部２３と、連結部２３の内腔２３ａ内に摺動可能に嵌装され、有蓋円筒状で先端部２４ａの外壁の外径が先端に向かって縮径された針状に形成され、基部側近傍の側壁にコネクター２１の未使用時において連結部２３の内腔２３ａ壁により閉塞される複数の側孔２４ｂを有し、側壁のほぼ中間部に連結部２３の段部２３ｂに係止する係止爪２４ｃが設けられた鈍針部２４とを備えている。また、フード部２２の胴部の先端側には、ほぼト字状の溝部２５ｃを設け、そのほぼ中間部に分岐した溝の端部に係止孔２５ａを有し、上端部に係合孔２５ｂを形成した係合部２５が設けられている。
【００４９】
注入用コネクター３１のハウジング３２は、その内腔内に両端部に注入口３３ａと流出口３３ｂをそれぞれ有する筒状中空体３３が一体に設けられ、注入口３３ａと内腔基部側との間に、ほぼ中心部に垂直に設けられたスリットを有しこのスリットに沿ってコネクター２１の鈍針部２４が穿刺されるゴム状弾性体３４が固定されている。そして、ハウジング３２の基部外壁にはコネクター２１の係合部２５に係止する突起部３２ｂが設けられており、この突起部３２ｂを係合部２５の溝部２５ｃに嵌入して係止孔２５ａに係止したときは、コネクター２１の鈍針部２４の先端部２４ａがゴム状弾性体３４に穿刺され、先端部２４ａが筒状中空体３３の注入口３３ａに嵌入されてその状態が維持される。また、ハウジング３２の内腔先端側の内壁には例えばカテーテルの基端部に連結するためのねじ部３２ｃが設けられている。
【００５０】
このように構成されたこの実施の形態５において、主薬液の輸液を行う場合、図７に示すように、患者の血管に留置したカテーテルの基端部に連結された注入用コネクター３１のハウジング３２の基部に、連結部２３に延長チューブ（図示せず）が接続されたコネクター２１のフード部２２を嵌合させつつ、ゴム状弾性体３４に鈍針部２４の先端部２４ａをスリットに沿って穿刺させ、注入用コネクター３１の突起部３２ｂをコネクター２１の係合部２５の係止孔２５ａに係止して、鈍針部２４の先端部２４ａを筒状中空体３３の注入口３３ａに嵌入して維持させる。
【００５１】
この時、側孔２４ｂが連結部２３の内腔２３ａ壁によって閉塞されるように位置されていた鈍針部２４は、ゴム状弾性体５６に穿刺するときに生じる抵抗力によって基部側（図７（ｂ）の矢印Ｙの方向）に摺動し、係止爪２４ｃが連結部２３の段部２３ｂに係止することによってその位置に保持され、連結部２３の内腔２３ａ壁によって閉塞されていた側孔２４ｂは開放し連結部２３に結合された延長チューブ（図示せず）に連通される。
【００５２】
そして、図７（ｂ）の矢印Ｚに示すように、延長チューブからの主薬液を鈍針部２４の側孔２４ｂから鈍針部２４の内腔を通って筒状中空体３３の内腔へ送り、筒状中空体３３の流出口３３ｂおよびカテーテルから患者側（血管）に注入する。
【００５３】
輸液を終了する場合は、注入用コネクター３１の突起部３２ｂとコネクター２１の係合部２５の係止孔２５ａとの係止を解除して、鈍針部２４の先端部２４ａがゴム状弾性体３４から抜ける方向にコネクター２１を引っ張り離脱する。この時、側孔２４ｂが延長チューブに連通するように位置されていた鈍針部２４は、ゴム状弾性体３４から抜去するときに生じる抵抗力によって先端部側（図７（ｂ）の矢印Ｙの逆方向）に摺動し、延長チューブに連通し開放されていた側孔２４ｂは連結部２３の内腔２３ａ壁によって閉塞し、延長チューブからの主薬液の流路が遮断される。
【００５４】
このように、コネクター２１に、先端部２４ａをゴム状弾性体３４に穿刺するときに生じる抵抗力によって基部側に摺動し、係止爪２４ｃが連結部２３の段部２３ｂに係止することによってその位置に保持され、連結部２３の内腔２３ａ壁によって閉塞されていた側孔２４ｂを開放し連結部２３に結合された延長チューブに連通するとともに、先端部２４ａをゴム状弾性体３４から抜去するときに生じる抵抗力によって先端部側に摺動し、延長チューブに連通し開放されていた側孔２４ｂを連結部２３の内腔２３ａ壁によって閉塞し延長チューブからの薬液の流路を遮断する鈍針部２４を設けたので、意図的および事故的に注入用コネクター３１との接続を解除した場合において、連結部２３に結合された延長チューブからの薬液の流路を自動的に遮断することができる使い勝手のよいコネクター２１を得ることができる。
【００５５】
なお、上述の実施の形態ではコネクター１をＹ型の液体混注具に接続し、コネクター２１を注入用コネクター３１に接続した場合を例示して説明したが、コネクター１を注入用コネクター３１に、コネクター２１をＹ型の液体混注具に接続してもよく、それぞれ同様の効果を奏する。
【００５６】
【発明の効果】
以上のように本発明に係るコネクターは、混注口５２に外部と遮断するためのゴム状弾性体５６が取り付けられた液体混注具のゴム状弾性体５６に穿刺される針部６を内腔内に有し、混注口５２に接続されるコネクター１であって、混注口５２の外側に着脱可能かつ摺動および回動可能に嵌合される有蓋円筒状のフード部２と、フード部２の蓋部外側のほぼ中心部に設けられたほぼ円筒状の連結部４と、先端部が連結部４の内腔４ａ内に嵌入され、基端部に延長チューブ７が接続されて、内腔８ｂ内に摺動手段が摺動可能に嵌装された接続部８とを備え、接続部８を、底部のほぼ中心部に針部６が挿通される挿通孔８ａを有する有底円筒状に形成し、底部内側に針部６が軸方向に摺動および回動可能に挿通されかつ延長チューブ７からの薬液の挿通孔８ａ側への流出を阻止するシール弁体９を設けるとともに、摺動手段を、先端部側のほぼ中心部に針部６の基部が嵌入され、一方の対向する外側面が接続部８の内腔壁に当接可能で、他方の対向する外側面が接続部８の内腔壁との間で間隙Ｇを形成可能な保持部材１０により構成し、さらに、針部６の保持部材１０近傍の側壁に側孔６ａを設け、針部６をゴム状弾性体５６に穿刺したときに生じる抵抗力により保持部材１０を基部側に摺動させて側孔６ａをシール弁体９より基部側に位置させ間隙Ｇを介して延長チューブ７に連通し、延長チューブ７から前記液体混注具への薬液の流路を側孔６ａおよび針部６の内腔を介して開放するとともに、針部６をゴム状弾性体５６から抜去したときに生じる抵抗力により保持部材１０を先端部側に摺動させて側孔６ａをシール弁体９内または先端部側に位置させ延長チューブ７との連通を阻止し、延長チューブ７から液体混注具への薬液の流路を遮断するので、意図的に接続を解除した場合はもちろんのこと、事故的に接続が外れた場合でも保持部材１０が自動的に先端部側に摺動して薬液の流路を遮断することができるため、針部からの薬液漏れを防止することができるコネクターを得ることができる。
【００５７】
また、保持部材１０は、接続部８の内腔壁に当接可能な対向する外側面が円弧状を呈するほぼ平坦状に形成されているとともに、針部６は、その保持部材１０近傍の側壁に設けた側孔６ａが複数形成されてなるので、簡単な構造で針部からの薬液漏れ防止（流路の遮断）や流路の開放を行うことができるコネクターを得ることができる。
【図面の簡単な説明】
【図１】  実施の形態１の断面図、Ｙ型の液体混注具の外観図、それらの作用説明図およびＡ−Ａ断面図である。
【図２】  本発明に係る実施の形態２の断面図、Ｙ型の液体混注具の外観図およびそれらの作用説明図である。
【図３】  図２のＢ部分の拡大図およびそのＣ−Ｃ断面図である。
【図４】  実施の形態３の断面図、Ｙ型の液体混注具の外観図、Ｄ−Ｄ断面図およびそれらの作用説明図である。
【図５】  実施の形態４の断面図、Ｙ型の液体混注具の外観図およびそれらの作用説明図である。
【図６】  実施の形態５の外観図、注入用コネクターの外観図および本発明の実施の形態５のＥ−Ｅ断面図である。
【図７】  実施の形態５と注入用コネクターとの作用説明図およびそのＦ−Ｆ断面図である。
【図８】  従来の代表的なＹ型の液体混注具およびそれに接続して用いられるコネクターの一部を断面で示した外観図と、その作用説明図である。
【図１】
0004009976.tif 000002
【図２】
0004009976.tif 000003
【図３】
0004009976.tif 000004
【図４】
0004009976.tif 000005
【図５】
0004009976.tif 000006
【図６】
0004009976.tif 000007
【図７】
0004009976.tif 000008
【図８】
0004009976.tif 000009